(57)【要約】【課題】  ゲーム機が列設されているゲーム店舗における駆動チェーンを採用している吸殻回収装置において、前記駆動チェーンの油差し（潤滑油供給）を自動的に行う。【解決手段】  複数のゲーム機を列設したゲーム店舗におけるゲーム機前面の灰皿部Ｂを備えたテーブル部Ｃの下面に、灰皿部から落下する吸殻を受け留める樋形状の受け皿部１と、前記受け皿部内に吸殻押出搬送機構３を設け、受け皿部の端部に設けた吸殻排出部２まで、受け皿部内の吸殻Ｅを押出搬送する吸殻回収装置において、特に、押出搬送機構を、周回駆動するチェーン３１と、前記チェーンに所定の間隔で連結して、長尺受け皿部内底面（吸殻落下貯留箇所）を移動する押出板３２とで構成すると共に、チェーンの周回適宜位置に、潤滑油供給装置５における微量吐出ポンプ５１の吐出管５２の先端のコネクター５３に対応するアダプター４１と、アダプターから下方に向けて設け、管端をチェーン上方に望ませた供給管４２からなる潤滑油滴下用供給部４を付設し、ゲーム店舗内の複数の吸殻回収装置に順次潤滑油供給装置５を接続して油差しを行う。【選択図】  図１
2006026121.tif 000002
【特許請求の範囲】
【請求項１】
複数のゲーム機を列設したゲーム店舗におけるゲーム機前面の灰皿部を備えたテーブル部の下面に、灰皿部から落下する吸殻を受け、且つ留める樋形状の長尺受け皿部と、前記長尺受け皿部内に吸殻押出搬送機構を設け、長尺受け皿部の端部に設けた吸殻排出部まで、長尺受け皿部内の吸殻を押出搬送する吸殻回収装置において、押出搬送機構を、所定のチェーンレールに添って周回駆動するチェーンと、前記チェーンに所定の間隔で連結して、長尺受け皿部内底面上を移動する押出板とで構成すると共に、チェーンの周回適宜位置に、微量吐出ポンプの吐出管先端のコネクターに対応するアダプターと、アダプターから下方に向けて設け、管端をチェーン上方に臨ませた供給管からなる潤滑油滴下用供給部を付設したことを特徴とする吸殻回収装置。
【請求項２】
潤滑油滴下用供給部を、吸殻排出部を構成するボックス内に設けてなる請求項１記載の吸殻回収装置。
【請求項３】
複数の請求項１又は２記載の吸殻回収装置と、潤滑油の吐出をなす微量吐出ポンプ及び先端に潤滑油滴下用供給部のアダプター対応のコネクターを装着した吐出管からなる潤滑油供給装置とを備え、潤滑油供給装置を、適宜な時間間隔で、順次所定の吸殻回収装置に連結することを特徴とする吸殻回収装置の潤滑油供給システム。
【請求項４】
潤滑油供給装置に、微量吐出ポンプの駆動時間を任意に設定できる制御部を付設してなる請求項３記載の吸殻回収装置の潤滑油供給システム。
【発明の詳細な説明】
【技術分野】
【０００１】
本発明は、パチンコ店のようなゲーム店舗で採用される吸殻回収装置への潤滑油供給に関するものである。
【背景技術】
【０００２】
パチンコ店のようにゲーム機が列設されているゲーム店舗においては、ゲーム機群の前面に渡って幅の狭いテーブル部を設けており、このテーブル部の適宜箇所に透孔を穿設し、当該透孔に底面部分が開口した灰皿部を装着し、テーブル部の下面側に吸殻の回収機構を配備している（特許文献１，２，３）。
【０００３】
前記の特許文献に開示されている吸殻回収装置は、灰皿部から落下する吸殻を受け留める樋形状の長尺受け皿部と、前記長尺受け皿部内に吸殻押出搬送機構を設け、長尺受け皿部の端部に設けた吸殻排出部まで、長尺受け皿部内の吸殻を搬送するようにしているものである。
【０００４】
特に特許文献１，３に開示されている吸殻押出搬送機構は、長尺受け皿部の奥側面にチェーンのガイドレールを上下に設け、前記チェーンに、受け皿部内底面と当接する押出板を付設し、押出板の下方側移動に際して、吸殻を押出搬送するようにしている。
【０００５】
【特許文献１】特開平９−２７６５３８号公報。
【特許文献２】特開平１０−５２５６８号公報。
【特許文献３】特開２００４−３３７１５号公報。
【発明の開示】
【発明が解決しようとする課題】
【０００６】
ところでチェーンは周知の通り、一定間隔に配置される軸部を両側に配置した側板で連結しているもので、スプロケットとの噛み合わせ位置では、軸部の回動が行われ、当該回動がスムーズになされるように軸部周りには潤滑油を塗布している。また前記吸殻押出搬送機構は、レール上をスライド走行することになり、レールとの摩擦も考慮する必要がある。
【０００７】
然し従前の吸殻装置では、潤滑油の自動塗布（自動供給）が考慮されておらず、必要となればチェーンに直接手作業で潤滑油の塗布（油差し）を行っていた。
【０００８】
そこで本発明は、新規なチェーンへの自動給油手段を提案したものである。
【課題を解決するための手段】
【０００９】
本発明に係る吸殻回収装置は、複数のゲーム機を列設したゲーム店舗におけるゲーム機前面の灰皿部を備えたテーブル部の下面に、灰皿部から落下する吸殻を受け、且つ留める樋形状の長尺受け皿部と、前記長尺受け皿部内に吸殻押出搬送機構を設け、長尺受け皿部の端部に設けた吸殻排出部まで、長尺受け皿部内の吸殻を押出搬送する吸殻回収装置において、押出搬送機構を、所定のチェーンレールに添って周回駆動するチェーンと、前記チェーンに所定の間隔で連結して、長尺受け皿部内底面上を移動する押出板とで構成すると共に、チェーンの周回適宜位置に、微量吐出ポンプの吐出管先端のコネクターに対応するアダプターと、アダプターから下方に向けて設け、管端をチェーン上方に臨ませた供給管からなる潤滑油滴下用供給部を付設したことを特徴とするものである。
【００１０】
また本発明に係る吸殻回収装置の潤滑油供給システムは、前記の吸殻回収装置を複数設置したゲーム店において、潤滑油の吐出をなす微量吐出ポンプ及び先端に潤滑油滴下用供給部のアダプター対応のコネクターを装着した吐出管からなる潤滑油供給装置を備え、潤滑油供給装置を、適宜な時間間隔で、順次所定の吸殻回収装置に連結することを特徴とするものである。
【００１１】
而してゲーム店内に設置されている吸殻回収装置の潤滑油滴下用供給部のアダプターに、潤滑油供給装置のコネクターを接続して微量吐出ポンプを動作させると、吸殻回収装置の潤滑油滴下用供給部の供給管の管端から微量の潤滑油がチェーンに滴下し、油差しが自動的に行われることになる。
【００１２】
当該吸殻回収装置に所定の給油が終了すると、潤滑油供給装置を次の吸殻回収装置に装着し、油差し（潤滑油塗布）を行うものである。
【発明の効果】
【００１３】
本発明は上記の構成を採用したものであるから、吸殻回収装置のチェーンの油差し（潤滑油塗布）が自動的になさ、手作業による保守作業が解消できたものであり、また複数の吸殻回収装置を設置しているゲーム店では、各吸殻回収装置に簡単な構造の潤滑油滴下用供給部を付設するのみで、潤滑油供給装置を順次使用することで共用させ、設備投資を少なくして潤滑油供給の自動化が実現できたものである。
【発明を実施するための最良の形態】
【００１４】
次に本発明の実施形態について説明する。吸殻回収装置は、複数のゲーム機を列設したゲーム店舗におけるゲーム機Ａの前面に灰皿部Ｂを備えたテーブル部Ｃの下面に設けたもので、受け皿部１と、吸殻排出部２と、吸殻押出搬送機構３と、潤滑油滴下用供給部４とで構成され、ゲーム店舗内では複数の吸殻回収装置が設置されている。
【００１５】
受け皿部１は、テーブル部Ｃにおける灰皿部Ｂを装着した透孔Ｄの下方を含む位置に配置したもので、奥方にレール部１１が設けられ、前方に樋部１２が設けられており、テーブル部Ｃの下面に固着されたものである。またレール部１１は、後述する搬送機構の駆動チェーン３１がガイドされる凹部形状に形成されたもので、上下（若しくは表裏）に設けられている。
【００１６】
吸殻排出部２は、受け皿部１の終端側又は途中の適宜箇所に設けたもので、所定のボックス２１内に収納配置される吸殻容器２２内に、吸殻押出搬送機構３の押出板３２で押し出された吸殻Ｅが、受け皿部１の終端から落下するのを受け入れるもので、前記容器２２は、吸殻Ｅが集積され廃棄されるまでの吸殻溜まりとなるものである。
【００１７】
吸殻押出搬送機構３は、駆動チェーン３１と押出板３２と駆動部３３で構成され、駆動チェーン３１は、レール部１１に納められて、鉛直面（若しくは水平面）で周回動作を行うものであり、押出板３２は、駆動チェーンの連結軸を適宜間隔で前方に延長し、当該延長軸に押出板３２が周回方向と直交する方向に固定したものである。
【００１８】
また駆動部３３は、駆動チェーン３１及び押出板３２を動作させるもので、前記吸殻排出部２の収納ボックス２１内に設けた駆動スプロケット３３１と、前記駆動スプロケット３３１を動作させる駆動モータ３３２とで構成され、その動作制御は任意である。
【００１９】
潤滑油滴下用供給部４は、収納ボックス２１内に設けたもので、後述する潤滑油供給装置５の微量吐出ポンプ５１の吐出管５２の先端のコネクター５３に対応するアダプター４１と、アダプター４１から下方に向けて設け、且つ管端を駆動チェーン３１上方に臨ませた供給管４２からなるものである。
【００２０】
而して前記の吸殻回収装置は、ゲーム店舗内のテーブル部Ｃの下面に、駆動部の駆動能力等を考慮して所定の単位で複数配置され、各吸殻回収装置は、駆動チェーン３１の駆動によって押出板３２を動作させ、灰皿部Ｂから捨てられた吸殻Ｅを押出板３２で吸殻排出部２まで押出搬送し、吸殻自動回収を行うものである。
【００２１】
特に本発明は、前記装置と潤滑油供給装置とを組み合わせて駆動チェーン３１への自動給油（油差し）を行うもので、潤滑油供給装置５は、潤滑油の吐出をなす微量吐出ポンプ５１及び先端に前記アダプター４１に対応するコネクター５３を装着した吐出管５２からなり、所定の動作制御（作動時間制御）を設定できる制御部を付設しているものである。具体的には、３Ｗシンクロナスモータを使用した１．２５ｍｌ／ｍｉｎ（５０Ｈｚ）の吐出量のギアーポンプを使用するものである。
【００２２】
そしてゲーム店内に設置されている吸殻回収装置の潤滑油滴下用供給部４のアダプター４１に、潤滑油供給装置５のコネクター５３を接続し、微量吐出ポンプ５１を動作させると、潤滑油滴下用供給部４の供給管４２の管端から微量の潤滑油が駆動チェーン３１に滴下する。滴下量は、当該駆動チェーン３１の長さや、駆動スピードに対応して微量吐出ポンプ５１の動作時間を制御することで調整ができる。
【００２３】
従って吸殻回収装置の駆動チェーン３１に対して、油差しが自動的に行われることになり、潤滑油供給装置５をゲーム店舗内の吸殻回収装置に、所定時間（例えば１日単位毎）順次接続していくことで、店舗内の全吸殻改修装置への油差しが可能となるものである。
【図面の簡単な説明】
【００２４】
【図１】本発明の実施形態の要部拡大正面図。
【図２】同全体の説明図。
【図３】同吸殻回収装置の側面断面図。
【符号の説明】
【００２５】
Ａ          ゲーム機
Ｂ          灰皿部
Ｃ          テーブル部
Ｄ          透孔
Ｅ          吸殻
１          受け皿部
１１        レール部
１２        樋部
２          吸殻排出部
２１        収納ボックス
２２        吸殻容器
３          吸殻押出搬送機構
３１        駆動チェーン
３２        押出板
３３        駆動部
３３１      駆動スプロケット
３３２      駆動モータ
４          潤滑油滴下用供給部
４１        アダプター
４２        供給管
５          潤滑油供給装置
５１        微量吐出ポンプ
５２        吐出管
５３        コネクター
【図１】
2006026121.tif 000003
【図２】
2006026121.tif 000004
【図３】
2006026121.tif 000005